(57)【特許請求の範囲】
【請求項１】
一方側面に陥没面が形成される作動端を有し、前記陥没面内に相互に繋がる格納溝および装着溝を有し、前記作動端の他方の側面に前記格納溝と連通する連通穴を有し、外側にレバーを有するレンチ本体と、
前記レンチ本体の前記格納溝内に装着され、球状に形成され、複数の第１歯およびソケットを有し、前記第１歯の外壁面に円弧面を有する主動輪と、
前記レンチ本体の前記装着溝内に装着され、かつ前記主動輪の複数の前記第１歯と噛み合う複数の第２歯を有する受動輪と、
前記レンチ本体の前記陥没面に被さり、かつ前記主動輪の前記ソケットが貫通可能な貫通穴を有する板状キャップと、を備え、
前記レンチ本体の前記装着溝は、内壁面に第１ラチェットを有し、
前記受動輪は、隣り合う前記第２歯の間に、前記主動輪の前記第１歯の前記円弧面に対応する陥没状の弧面を有し、
前記受動輪の前記第２歯は、前記レンチ本体の前記装着溝の内壁面の前記第１ラチェットとは相互に噛み合う第２ラチェットを有し、
前記受動輪は、連動穿孔、当該連動穿孔内に装着された連動ユニット、支持ユニット、およびスプリングを有し、
前記連動ユニットは、支持穿孔を有し、かつ一端が前記レンチ本体の外側の前記レバーに連結され、他端が前記板状キャップに固定され、
前記支持ユニットは、前記連動ユニットに装着され、前記受動輪の前記連動穿孔に入り込み、かつ前記連動ユニットの前記支持穿孔内に差し込まれる突起柱を有し、
前記スプリングは、前記支持ユニットの前記突起柱に被さり、かつ前記支持ユニットと前記連動ユニットとの間に位置付けられることを特徴とするラチェットレンチ。
【請求項２】
締付ユニットをさらに備え、
前記レンチ本体の前記作動端は、前記他方の側面の前記装着溝に対応する位置に陥没溝が形成され、
前記レンチ本体は、前記陥没面と前記陥没溝とを接続する複数の接続穿孔を有し、
前記連動ユニットは、一端に突起状固定ユニットを有し、他端に突起状固定柱を有し、
前記レンチ本体は、前記陥没溝内に片状ストッパーを有し、
前記片状ストッパーは、前記連動ユニットの前記突起状固定ユニットが貫通可能な穴を有し、前記レンチ本体の前記接続穿孔に対応する位置にねじ孔を有し、
前記レバーは、前記片状ストッパーの外側面に装着され、かつ連結穿孔と、前記連結穿孔内に配置された連結ユニットとを有し、
前記連結ユニットは、前記連動ユニットの前記突起状固定ユニットに連結され、
前記板状キャップは、前記連動ユニットの前記突起状固定柱を固定可能な固定孔を有し、かつ前記レンチ本体の前記接続穿孔に対応する締付穿孔を有し、
前記締付ユニットは、前記板状キャップの前記締付穿孔、前記レンチ本体の前記接続穿孔、および、前記片状ストッパーの前記ねじ孔に差し込まれ、締め付けられることを特徴とする請求項１に記載のラチェットレンチ。
【発明の詳細な説明】
【技術分野】
【０００１】
本発明は、ラチェットレンチに関する。
【背景技術】
【０００２】
種類が異なるボルトまたはナットの着脱を行うには、異なるソケットとラチェットレンチとを結合させて使用する必要がある。図１に示すように、従来のラチェットレンチは、レンチ本体１０と、主動輪１１と、調整ユニット１２と、制御レバー１５と、片状ストッパー１７とを備える。レンチ本体１０は、格納溝１００および装着溝１０１を有し、格納溝１００は貫通孔１０２を有し、装着溝１０１は制御レバー用穴１０３と、壁面に形成された陥没孔１０４とを有する。主動輪１１はレンチ本体１０の格納溝１００内に格納される。調整ユニット１２はレンチ本体１０の装着溝１０１内に装着される。主動輪１１の歯１１０と調整ユニット１２の歯１２０とは相互に噛み合う。主動輪１１は柱体１１１を有する。調整ユニット１２は別の一側の中央部位に突起体１２１を有し、突起体１２１は両側に形成された陥没状の弧面１２２を有する。レンチ本体１０は陥没孔１０４内にステンレスボール１３およびスプリング１４を有し、ステンレスボール１３は調整ユニット１２の一つの陥没状の弧面１２２に当接する。制御レバー１５はレンチ本体１０の外側面に装着され、かつシャフト１６によって調整ユニット１２に連結される。片状ストッパー１７はレンチ本体１０に被さり、締付ユニット１８によってレンチ本体１０上に固定され、かつ主動輪１１の柱体１１１の貫通に用いる穴１７０と、シャフト１６の貫通に用いるシャフト孔１７１とを有する。従って、ラチェットレンチは制御レバー１５によって調整ユニット１２を連動させ、調整ユニット１２の一端をレンチ本体１０の装着溝１０１の一側の壁面に当接させ、そして調整ユニット１２の制動によって主動輪１１を一方向に伝動させることができる。しかしながら、一般のラチェットレンチにおいて、主動輪１１と調整ユニット１２の歯１２０とは点接触または線接触方式によって噛み合うため、確実に噛み合って伝動することができないだけでなく、歯が逸脱することが原因で確実に伝動できないような状況を生じる。一方、調整ユニット１２が主動輪１１を制動する際、調整ユニット１２の壁面と装着溝１０１の壁面とは相互に当接し、係止される。
【先行技術文献】
【特許文献】
【０００３】
【特許文献１】特開２０１１−５６６５３号公報
【発明の概要】
【発明が解決しようとする課題】
【０００４】
しかしながら、従来のラチェットレンチは、壁面は平滑面であるため、摩擦力が小さい。従って調整ユニット１２は係止効果があまりよくなく、逸脱現象が発生しやすいだけでなく、係止および制動効果を確実に達成することができない。一方、ラチェットレンチは、単一方向または双方向に切り替えて回転する機能のみを有し、かつ柱体１１１がレンチ本体１０の柄に垂直であるため、作業の際、異なる空間制限に応じて柱体１１１の力を入れる角度を調整することができないだけでなく、作業に不便を感じさせてしまう。それに対し、本発明者は上述した従来のラチェットレンチの欠点を鑑み、研究および改良を絶えず進めた結果、本発明を完成させた。
本発明は、主動輪の回転方向を確実に切り替えることによって最良の係止および制動効果を果たし、かつ主動輪のソケットの角度を前後に調整し、作業の際に異なる空間制限に応じて工具の力を入れる角度を調整することができるだけでなく、作業に極めて便利で伝動の際の安定性を有するラチェットレンチを提供することを目的とする。
【課題を解決するための手段】
【０００５】
請求項１に係る発明によるラチェットレンチは、レンチ本体、主動輪、受動輪および板状キャップを備える。レンチ本体は、作動端の側面に陥没面を有し、陥没面内に相互に繋がる格納溝および装着溝を有し、作動端の別の側面に格納溝を連通する連通穴を有し、外側にレバーを有する。主動輪はレンチ本体の格納溝内に装着され、かつ第１歯およびソケットを有する。受動輪は、レンチ本体の装着溝内に装着され、かつ主動輪の第１歯と噛み合う第２歯を有する。板状キャップは、レンチ本体の陥没面に被さり、かつ主動輪のソケットが貫通可能な貫通穴を有する。
【０００６】
レンチ本体の装着溝は、内壁面に第１ラチェットを有する。主動輪は、球状体を呈し、かつ第１歯の外壁面に円弧面を有する。受動輪は、第２歯の間に主動輪の第１歯の円弧面に対応する陥没状の弧面を有する。受動輪の第２歯は、第２ラチェットを有する。受動輪の第２ラチェットとレンチ本体の装着溝の内壁面の第１ラチェットとは相互に噛み合う。受動輪は、さらに連動穿孔と、連動穿孔内に装着された連動ユニットと、支持ユニットと、スプリングとを有する。連動ユニットは、支持穿孔を有し、かつ一端がレンチ本体の外側のレバーに連結され、他端が板状キャップに固定される。支持ユニットは、連動ユニットに装着され、かつ受動輪の連動穿孔に入り込み、かつ連動ユニットの支持穿孔内に差し込まれる突起柱を有する。スプリングは、支持ユニットの突起柱に被さり、かつ支持ユニットと連動ユニットとの間に位置付けられる。
【０００７】
請求項２に係る発明によると、締付ユニットをさらに備える。レンチ本体の作動端は別の側面上の装着溝に対応する位置に陥没溝を有する。レンチ本体は、陥没面と陥没溝とを接続する複数の接続穿孔を有する。連動ユニットは、一側に突起状固定ユニットを有し、他側に突起状固定柱を有する。レンチ本体は、陥没溝内に片状ストッパーを有する。片状ストッパーは、連動ユニットの突起状固定ユニットが貫通可能な穴を有し、かつレンチ本体の接続穿孔に対応する位置にねじ孔を有する。レバーは、片状ストッパーの外側面に装着され、かつ連結穿孔と、連結穿孔内に配置された連結ユニットとを有する。連結ユニットは、連動ユニットの突起状固定ユニットに連結される。板状キャップは、連動ユニットの突起状固定柱を固定可能な固定孔を有し、かつレンチ本体の接続穿孔に対応する位置に締付穿孔を有する。締付ユニットは、板状キャップの締付穿孔、レンチ本体の接続穿孔、および、片状ストッパーのねじ孔に差し込まれ、締め付けられる。
【図面の簡単な説明】
【０００８】
【図１】従来のラチェットレンチを示す分解斜視図である。
【図２】本発明の一実施形態によるラチェットレンチを示す分解斜視図である。
【図３】本発明の一実施形態によるラチェットレンチを示す斜視図である。
【図４】本発明の一実施形態によるラチェットレンチを示す斜視図である。
【図５】本発明の一実施形態によるラチェットレンチの主動輪の制動方向を切り替える状態を示す模式図である。
【図６】本発明の一実施形態によるラチェットレンチの空回りする状態を示す模式図である。
【図７】本発明の一実施形態によるラチェットレンチの主動輪を別の回転方向に切り替える係止および制動方式を示す模式図である。
【図８】本発明の一実施形態によるラチェットレンチの主動輪のソケットを前方に回転させる使用状態を示す模式図である。
【図９】本発明の一実施形態によるラチェットレンチの主動輪のソケットを後方に回転させる使用状態を示す模式図である。
【発明を実施するための形態】
【０００９】
以下、本発明の実施形態によるラチェットレンチを図面に基づいて説明する。
（一実施形態）
図２から図５に示すように、本発明の一実施形態によるラチェットレンチ１は、レンチ本体２、主動輪３、受動輪４、片状ストッパー５および板状キャップ６を備える。レンチ本体２は作動端２０の側面に陥没面２１を有し、陥没面２１内に相互に繋がる格納溝２２および装着溝２３を有し、作動端２０の別の側面に格納溝２２を貫通する連通穴２２０および装着溝２３の位置に対応する陥没溝２３０を有する。陥没面２１は陥没溝２３０と繋がる複数の接続穿孔２１０を有する。装着溝２３は内壁面の相互に向かい合う両側に複数の第１ラチェット２３１を有する。主動輪３はレンチ本体２の格納溝２２内に装着され、かつ球状体を呈する。主動輪３は第１歯３０およびソケット３２を有し、第１歯３０の外壁面に円弧面３１を有する。受動輪４はレンチ本体２の装着溝２３内に装着され、かつ主動輪３の第１歯３０と噛み合う第２歯４０を有する。受動輪４は第２歯４０の間に主動輪３の第１歯３０の円弧面３１に対応する陥没状の弧面４１を有し、かつ第２歯４０に複数の第２ラチェット４２を有する。受動輪４はさらに連動穿孔４３と、連動穿孔４３内に装着された連動ユニット４４と、支持ユニット４５と、スプリング４６とを有する。連動ユニット４４は支持穿孔４４０を有し、かつ一側に突起状固定ユニット４４１を有し、他側に突起状固定柱４４２を有する。支持ユニット４５は連動ユニット４４に装着され、かつ受動輪４の連動穿孔４３に入り込み、かつ突起柱４５０を有する。スプリング４６は支持ユニット４５の突起柱４５０に被さり、かつ支持ユニット４５と連動ユニット４４との間に位置付けられる。片状ストッパー５はレンチ本体２の陥没溝２３０に装着され、穴５０を有し、かつレンチ本体２の陥没溝２３０の接続穿孔２１０に対応する位置にねじ孔５１を有する。片状ストッパー５は外側面にレバー５２を有する。レバー５２は連結穿孔５２０と、連結穿孔５２０内に配置された連結ユニット５３とを有する。連結ユニット５３は連動ユニット４４の一側上の突起状固定ユニット４４１に連結される。板状キャップ６はレンチ本体２の陥没面２１に被さり、貫通穴６０を有する。板状キャップ６はさらに連動ユニット４４の突起状固定柱４４２の装着に用いる固定孔６１と、レンチ本体２の陥没面２１の接続穿孔２１０位置に対応する締付穿孔６２とを有し、かつ締付穿孔６２内に配置された締付ユニット６３を有する。以上は本発明の一実施形態によるラチェットレンチ１の構造である。
【００１０】
図２から図５に示すように、本発明を組み立てる際、まず連動ユニット４４の一側上の突起状固定ユニット４４１を片状ストッパー５の穴５０に差し込み、そののちレバー５２を片状ストッパー５の外側に装着し、かつ連結ユニット５３によって連動ユニット４４の突起状固定ユニット４４１に固定する。続いて、レンチ本体２の陥没溝２３０に片状ストッパー５を装着し、支持ユニット４５の突起柱４５０にスプリング４６を被せ、そののち連動ユニット４４の支持穿孔４４０に突起柱４５０を差し込むことによって連動ユニット４４、支持ユニット４５およびスプリング４６をレンチ本体２の装着溝２３内にまとめる。続いて、レンチ本体２の装着溝２３に受動輪４を装着し、そののちまとめた連動ユニット４４、支持ユニット４５およびスプリング４６を受動輪４の連動穿孔４３に差し込む。続いてレンチ本体２の格納溝２２に主動輪３を装着し、主動輪３の第１歯３０と受動輪４の第２歯４０とを相互に噛み合わせる。続いて、レンチ本体２の接続穿孔２１０に片状ストッパー５のねじ孔５１を合わせ、レンチ本体２の陥没面２１に板状キャップ６を被せる。このときレンチ本体２の格納溝２２に装着した主動輪３のソケット３２は板状キャップ６の貫通孔６０を貫通し、受動輪４の連動穿孔４３に差し込んだ連動ユニット４４の突起状固定柱４４２は板状キャップ６の固定孔６１に入り込む。続いて、板状キャップ６の締付穿孔６２およびレンチ本体２の接続穿孔２１０に締付ユニット６３を差し込み、かつ片状ストッパー５のねじ孔５１内に締め付けることによって主動輪３、受動輪４およびその内部の部品をレンチ本体２の格納溝２２および装着溝２３に固定し、全体の組み立てを完成させる。
【００１１】
図４から図９に示すように、本発明を使用する際、まず、レバー５２を動かしてレンチ本体２の回転方向を切り替える。レンチ本体２を時計回りに回転させる場合、図４および図５に示すようにレバー５２を時計回りに動かし、レンチ本体２を回転させたい方向まで移動させる。このとき連動ユニット４４はレバー５２によって駆動され、回転する。支持ユニット４５は連動ユニット４４に伴って受動輪４の連動穿孔４３内を回転すると同時に、スプリング４６の弾力によってレンチ本体２の装着溝２３内において受動輪４を移動させる。図５に示すように受動輪４はスプリング４６の弾力によって押し出され、上に移動し、レンチ本体２の装着溝２３の上部の内壁面に当接する。受動輪４の第２歯４０上の第２ラチェット４２と装着溝２３の上部の内壁面の第１ラチェット２３１とは相互に噛み合うため、装着溝２３の下部に空間が形成される。続いて、レンチ本体２を時計回りに回転させて使用すると、図５に示すように主動輪３の第１歯３０は受動輪４の第２歯４０を逆方向に押す。受動輪４の第２ラチェット４２とレンチ本体２とは回転方向が同じであり、時計回りに回転する。受動輪４の第２ラチェット４２と装着溝２３の第１ラチェット２３１とは相互に噛み合い、係止および制動機能を果たすことによって主動輪３を回転させない。このとき主動輪３のソケット３２に連結された工具（図中未表示）はナットまたはボルトなどの着脱を進めることができる。図６に示すように、レバー５２を時計回りに動かして下方に位置させ、レンチ本体２を逆時計回りに回転させる際、主動輪３は受動輪４を圧迫し、装着溝２３の下部空間に移動させ、受動輪４の第２歯４０と装着溝２３の壁面の第１ラチェット２３１とを分離させる。このとき受動輪４は主動輪３によって駆動され、空回りする。一方、図４および図７に示すように、レンチ本体２を逆時計回りに回転させて使用する際、レバー５２を上に逆時計回りに動かし、レンチ本体２を回転させたい方向まで移動させればよい。このとき連動ユニット４４はレバー５２によって駆動され、逆時計回りに回転する。支持ユニット４５は連動ユニット４４に伴って受動輪４の連動穿孔４３内を回転すると同時に、スプリング４６の弾力によって受動輪４をレンチ本体２の装着溝２３内の下方に移動させるため、装着溝２３の上部に空間が形成される。図７に示すように受動輪４はスプリング４６の弾力によって下方に移動し、レンチ本体２の装着溝２３の下部の内壁面に当接する。続いて、レンチ本体２を逆時計回りに回転させて使用すると、主動輪３の第１歯３０は時計回りに回転すると同時に受動輪４の第２歯４０を逆時計回りに回転させる。受動輪４の第２ラチェット４２と装着溝２３の下部の第１ラチェット２３１とは相互に噛み合い、係止および制動機能を果たすことによって主動輪３を回転させない。このとき主動輪３のソケット３２に連結された工具（図中未表示）はナットまたはボルトなどの着脱を進めることができる。一方、レバー５２を逆時計回りに動かして上方に位置させ、レンチ本体２を時計回りに回転させる際、主動輪３は受動輪４を圧迫し、装着溝２３の上部空間に移動させ、受動輪４の第２歯４０上の第２ラチェット４２と装着溝２３の壁面の第１ラチェット２３１とを分離させる。このとき受動輪４は主動輪３によって駆動され、空回りする。上述したとおり、本発明は受動輪４の第２歯４０上の第２ラチェット４２と装着溝２３の壁面上の第１ラチェット２３１とを相互に噛み合わせることによって係止および制動効果を確実に達成することができるため、逸脱が原因で制動できないような状況が発生しない。一方、主動輪３の第１歯３０に円弧面３１を設計するのに対し受動輪４の第２歯４０の間に陥没状の弧面４１を設計することによって両者の相互に噛み合う接触面積を増大させ、噛み合わせおよび伝動をより安定させることができるため、歯が逸脱することが原因で確実に伝動できないような状況が発生しない。一方、図８および図９に示すように、主動輪３の第１歯３０に円弧面３１を設計するのに対し受動輪４の第２歯４０の間に陥没状の弧面４１を設計することによって伝動をより安定させることができるだけでなく、主動輪３のソケット３２を前後の任意の角度に調整し、作業の際に異なる空間制限に応じて工具の力を入れる角度を調整することができるため、作業に極めて便利である。
以上、本発明は、上記実施形態になんら限定されるものではなく、発明の趣旨を逸脱しない範囲において種々の形態で実施可能である。
【符号の説明】
【００１２】
１・・・ラチェットレンチ
２・・・レンチ本体、
３・・・主動輪、
４・・・受動輪、
５・・・片状ストッパー、
６・・・板状キャップ、
２０・・・作動端、
２１・・・陥没面、
２２・・・格納溝、
２３・・・装着溝、
３０・・・第１歯、
３１・・・円弧面、
３２・・・ソケット、
４０・・・第２歯、
４１・・・弧面、
４２・・・第２ラチェット、
４３・・・連動穿孔
４４・・・連動ユニット、
４５・・・支持ユニット、
４６・・・スプリング、
５０・・・穴、
５１・・・ねじ孔、
５２・・・レバー、
５３・・・連結ユニット、
６０・・・貫通穴
６１・・・固定孔、
６２・・・締付穿孔
６３・・・締付ユニット、
２１０・・・接続穿孔
２２０・・・連通穴
２３０・・・陥没溝、
２３１・・・第１ラチェット、
４４０・・・支持穿孔
４４１・・・突起状固定ユニット、
４４２・・・突起状固定柱、
４５０・・・突起柱、
５２０・・・連結穿孔。
【図１】
0005404848.tif 000002
【図２】
0005404848.tif 000003
【図３】
0005404848.tif 000004
【図４】
0005404848.tif 000005
【図５】
0005404848.tif 000006
【図６】
0005404848.tif 000007
【図７】
0005404848.tif 000008
【図８】
0005404848.tif 000009
【図９】
0005404848.tif 000010